(57)【要約】【課題】安定性を高めて転倒を防止するとともに、外観を向上させることのできるキャビネット収納椅子を提供すること。【解決手段】上部に座部４を、下端部にキャスター１１を備えるとともに、収納時にキャビネットの前板と面一に配置される背板１２を有し、背板の下方内側に蹴込み板１０が配設され、蹴込み板の内側にキャスターが配置され、背板が前方に付勢されている。【選択図】図１
2007190298.tif 000002
【特許請求の範囲】
【請求項１】
上部に座部を、下端部にキャスターを備えるとともに、収納時にキャビネットの前板と面一に配置される背板を有し、背板の下方内側に蹴込み板が配設され、蹴込み板の内側に前記キャスターが配置されたキャビネット収納椅子であって、前記背板が前方に付勢されていることを特徴とするキャビネット収納椅子。
【請求項２】
背板の下端部に回動軸が設けられ、背板は前後に回動自在であり、背板を前方に回動させる付勢手段が設けられている請求項１記載のキャビネット収納椅子。
【請求項３】
背板が前後にスライド自在に固定部に配設され、固定部に背板を前方に引っ張る付勢手段が内蔵されている請求項１記載のキャビネット収納椅子。
【発明の詳細な説明】
【技術分野】
【０００１】
本願発明は、座位で諸作業を行うことができ、使用後にキャビネット内部に収納した時、キャビネットと統一感のある外観を呈するキャビネット収納椅子に関する。
【背景技術】
【０００２】
厨房装置での洗浄、すすぎ作業や洗面化粧台での洗面作業などの諸作業を座位で行えるようにし、使用後には、厨房装置や洗面化粧台などのキャビネットの内部に収納できるようにしたキャビネット収納椅子が提案されている。
【０００３】
キャビネット収納椅子は、上部に座部を、下端部にキャスターを備え、また、収納時にキャビネットの前板と面一に配置される背板を有している。キャスターによってキャビネットからの出し入れが自在とされ、引き出して座部に座って諸作業を行うことができ、使用後、収納すると、背板がキャビネットの前板と面一に配置され、キャビネットの一部を形成しているような外観となる。
【０００４】
このようなキャビネット収納椅子には、蹴込み部に出し入れ自在に配設されるワゴン（特許文献１）とは異なった課題がある。
【特許文献１】特開２００１−６１５７３号公報
【発明の開示】
【発明が解決しようとする課題】
【０００５】
すなわち、キャビネット収納椅子は、一般に、作業を行うシンクやボウルなどの下方に収納されるが、キャビネットにおいてシンクやボウルなどの下方には配管などが配設されているため、キャビネット収納椅子の収納スペースは奥行きの浅いものとなっており、前後のキャスター間の間隔を十分にとることができない。したがって、背板の下方の内側に配設される蹴込み板の内側にキャスターを配置すると、引き出す際に背板の上方から力を加えた場合、キャビネット収納椅子が後方に転倒するという危険性がある。この転倒の問題を解消するためには、キャスターの前後間隔を大きくとればよいが、この場合、後側のキャスターが蹴込み部に出っ張ることになり、外観が見苦しいものとなってしまう。
【０００６】
本願発明は、このような事情に鑑みてなされたものであり、安定性を高めて転倒を防止するとともに、外観を向上させることのできるキャビネット収納椅子を提供することを課題としている。
【課題を解決するための手段】
【０００７】
本願発明は、上記の課題を解決するために、第１に、上部に座部を、下端部にキャスターを備えるとともに、収納時にキャビネットの前板と面一に配置される背板を有し、背板の下方内側に蹴込み板が配設され、蹴込み板の内側に前記キャスターが配置されたキャビネット収納椅子であって、前記背板が前方に付勢されていることを特徴としている。
【０００８】
本願発明は、第２に、背板の下端部に回動軸が設けられ、背板は前後に回動自在であり、背板を前方に回動させる付勢手段が設けられていることを特徴としている。
【０００９】
本願発明は、第３に、背板が前後にスライド自在に固定部に配設され、固定部に背板を前方に引っ張る付勢手段が内蔵されていることを特徴としている。
【発明の効果】
【００１０】
本願の第１の発明によれば、背板が前方に付勢されているので、前後のキャスター間の間隔がやや狭くなっても、キャビネット収納椅子は、引き出した時、後方に転倒することはなく、安定した状態を維持する。収納時には、背板はキャビネットの前板と面一に配置され、キャスターは蹴込み板の内側に配置されているので、キャビネット収納椅子は、キャビネットの一部を形成する外観を呈し、統一感のある外観が形成される。
【００１１】
本願の第２の発明によれば、キャビネット収納椅子を引き出した時、背板は前方に回動し、キャビネット収納椅子が後方に転倒するのが防止される。
【００１２】
本願の第３の発明によれば、キャビネット収納椅子を引き出した時、背板は前方に引っ張られ、キャビネット収納椅子が後方に転倒するのが防止される。
【発明を実施するための最良の形態】
【００１３】
図１は、本願発明のキャビネット収納椅子の一実施形態を示した側面図である。図２は、図１に示したキャビネット収納椅子を備えた厨房装置の一例を示した斜視図である。
【００１４】
略矩形に枠組みされ、水平に配置される基部１の上の左右に、アルミニウムなどの軽量金属から略矩形形状に形成された側フレーム２が立設されている。基部１の背側にはアルミニウムなどの軽量金属から略矩形形状に形成された背フレーム３が立設されている。左右両側の側フレーム２の上部内側に人が座ることのできる座部４が配設され、座部４は、略垂直上方に突出した背もたれ５を有している。座部４の両側に略Ｌ字型形状の手摺６が設けられ、手摺６は、背フレーム３と側フレーム２の上部を連結している。座部４の下方には、線材から形成された網カゴ７が上下に２段配設されている。網カゴ７の前端縁および後端縁にはそれぞれフランジ状の係合レール８が形成されている。側フレーム２の縦桟２ａと背フレーム３には断面略コ字型形状の係合片９が対向して設けられ、係合レール８をガイドする。このため、網カゴ７は、キャビネット収納椅子の左右、すなわち、側部から引き出せるようになっている。各種の物品の収納と取り出しが自在となっている。
【００１５】
また、図１に示したキャビネット収納椅子では、背フレーム３の下部および基部１の後端部に蹴込み板１０が取り付けられている。基部１の下端四隅に配設されたキャスター１１は蹴込み板１０の内側に配置されている。蹴込み板１０の後端上部には背板１２が蝶番１３を介して図１図中に矢印で示したように前後に回動自在に配設されている。蝶番１３に備えた２つの固定片１３ａはバネ１４によって連結されている。バネ１４は蝶番１３を閉じる方向に引っ張るように付勢されている。このため、背板１２は、外力を加えない時は、前方に回動し、上端部が背フレーム３側に接触して前傾し、前傾状態を維持する。背板１２の上端縁には、図２に示したように、厨房装置に備えた引き出し１５の上端縁または下端縁に設けられるライン取っ手１６と同一のものが設けられている。ライン取っ手１６は、後方に突出しない横長の取っ手であり、斜め後方に開放する溝状の空洞部を有する。空洞部から手指を差し込むことによりライン取っ手１６を握ることができ、引き出し１５の開閉を操作することができる。
【００１６】
以上のキャビネット収納椅子は、図２に示したように、厨房装置において、カウンター１７に取り付けられたカラン１８を有するシンク１９の下方に形成された収納スペース２０に出し入れ自在とされている。洗浄、すすぎなどの諸作業を行うためにキャビネット収納椅子を、ライン取っ手１６を握って収納スペース２０から引き出すと、図１に示したバネ１４の弾性力により背板１２は前方に回動し、上端部が背フレーム３に接触して前傾し、図２に示した前傾状態を維持する。このため、キャスター１１が蹴込み板１０の内側に配置され、前後のキャスター１１間の間隔がやや狭くなっていても、キャビネット収納椅子は後方に転倒せず、安定な状態を保つことができる。
【００１７】
使用後、キャビネット収納椅子を厨房装置に収納すると、図３に示したように、キャビネット収納椅子は収納スペース２０に収納される。シンク１９の下方に位置し、排水管２１などの配設により大きさに制約のある収納スペース２０にキャビネット収納椅子は収まる。この時、背板１２の上端縁に設けられたライン取っ手１６は、収納スペース２０の上端前部に配設された戸当り２２に前方より接触し、戸当り２２はライン取っ手１６を後方に押圧する。その結果、背板１２はバネ１４の弾性力に抗して後方に回動し、厨房装置の前板２３と面一に配置される。図４に示したように、キャビネット収納椅子の背板１２は、引き出し１５の前板２４を含めた厨房装置の前板２３と面一に配置される。また、背板１２の上端縁に設けられたライン取っ手１６は、隣接する引き出し１５などに設けられた厨房装置のライン取っ手１６と同一直線状に配置される。さらに、蹴込み板１０は、厨房装置の蹴込み部２５と同一面上に配置される。したがって、キャビネット収納椅子は、キャビネットの一部を形成する外観を呈し、統一感のある外観が形成される。
【００１８】
なお、キャビネット収納椅子には、図１〜図３に示したように、基部１の左右両側面に断面略コ字型の形状を有し、長尺のスライドレール２６を設けることができる。厨房装置には、収納スペース２０に臨む面にレール片２７を設けることができる。この場合、スライドレール２６がレール片２７にガイドされてキャビネット収納椅子は収納スペース２０に収納される。キャビネット収納椅子の収納をスムーズに行うことができる。
【００１９】
図５は、本願発明のキャビネット収納椅子の一実施形態を示した側面図である。図６は、図５に示したキャビネット収納椅子を備えた厨房装置の一例を示した斜視図である。
【００２０】
図５に示したキャビネット収納椅子は、背板１２を前方に付勢する構成が図１に示したキャビネット収納椅子と異なっている。その他の構成は、図１に示したキャビネット収納椅子と同一であり、同一の符号を付している。
【００２１】
図５に示したキャビネット収納椅子では、背フレーム３の上部および下部に背板１２の固定部２８が取り付けられている。背板１２は固定部２８の後端に配設され、固定部２８によって前後にスライド自在に支持されている。固定部２８にはバネが内蔵されており、バネの弾性力は背板１２を前方に引っ張る方向に作用する。このため、シンク１９での洗浄、すすぎなどの作業時にキャビネット収納椅子を引き出すと、背板１２は前方にスライドして図６に示した状態を維持する。したがって、キャスター１１が蹴込み板１０の内側に配置され、前後のキャスター１１間の間隔がやや狭くなっていても、キャビネット収納椅子は後方に転倒せず、安定な状態を保つことができる。
【００２２】
使用後、キャビネット収納椅子を厨房装置に収納すると、キャビネット収納椅子は収納スペース２０に収納される。図３に示した状態と同様に、シンク１９の下方に位置し、排水管２１などの配設により大きさに制約のある収納スペース２０にキャビネット収納椅子は収まる。この時、背板１２の上端縁に設けられたライン取っ手１６は、収納スペース２０の上端前部に配設された戸当り２２に前方より接触し、ライン取っ手１６は後方に押圧される。その結果、背板１２は固定部２８に内蔵されたバネの弾性力に抗して後方にスライドし、厨房装置の前板２３と面一に配置される。図４に示した状態と同様に、キャビネット収納椅子の背板１２は、引き出し１５の前板２４を含めた厨房装置の前板２３と面一に配置される。また、背板１２の上端縁に設けられたライン取っ手１６は、隣接する引き出し１５などに設けられた厨房装置のライン取っ手１６と同一直線状に配置される。さらに、蹴込み板１０は、厨房装置の蹴込み部２５と同一面上に配置される。したがって、キャビネット収納椅子は、キャビネットの一部を形成する外観を呈し、統一感のある外観が形成される。
【００２３】
以上のキャビネット収納椅子は、厨房装置に備えられるものとして例示したが、キャビネットは厨房装置に限られず、洗面化粧台その他の諸作業を座位で行えるようにしたキャビネットに適用可能である。
【図面の簡単な説明】
【００２４】
【図１】本願発明のキャビネット収納椅子の一実施形態を示した側面図である。
【図２】図１に示したキャビネット収納椅子を備えた厨房装置の一例を示した斜視図である。
【図３】図１に示したキャビネット収納椅子を厨房装置に収納した状態を示した断面図である。
【図４】図１に示したキャビネット収納椅子を厨房装置に収納した状態を示した斜視図である。
【図５】本願発明のキャビネット収納椅子の一実施形態を示した側面図である。
【図６】図５に示したキャビネット収納椅子を備えた厨房装置の一例を示した斜視図である。
【符号の説明】
【００２５】
１    基部
２    側フレーム
２ａ    縦桟
３    背フレーム
４    座部
５    背もたれ
６    手摺
７    網カゴ
８    係合レール
９    係合片
１０    蹴込み板
１１    キャスター
１２    背板
１３    蝶番
１３ａ    固定片
１４    バネ
１５    引き出し
１６    ライン取っ手
１７    カウンター
１８    カラン
１９    シンク
２０    収納スペース
２１    排水管
２２    戸当り
２３    前板
２４    前板
２５    蹴込み部
２６    スライドレール
２７    レール片
２８    固定部
【図１】
2007190298.tif 000003
【図２】
2007190298.tif 000004
【図３】
2007190298.tif 000005
【図４】
2007190298.tif 000006
【図５】
2007190298.tif 000007
【図６】
2007190298.tif 000008